(57)【要約】【課題】    多くの商品の比較を商品購入者が手軽にできる携帯端末を提供する。【解決手段】    本発明の携帯端末１００は、商品情報が表示されたコード画像２００を撮像するＣＣＤカメラ１０８と、ＣＣＤカメラ１０８が撮像したコード画像に含まれている商品情報を抽出し、商品情報にヘッダ情報を付与するマイクロコンピュータ１２２と、ヘッダ情報を付与した商品情報を記憶するメモリ１２０とを有し、携帯端末１００が、メモリ１２０に記憶されている複数の商品情報を、各商品情報に付されているヘッダ情報ごとに読みだして比較表示する。また、マイクロコンピュータ１２２は、商品情報に含まれる商品の種別ごとに商品スペックに対応した少なくとも１以上のスペック項目を商品情報から抽出し、商品情報に含まれる商品の種別ごとに各商品情報をメモリ１２０から読み出し、各スペック項目に対応させて比較表示する。【選択図】          図１
2009194574.tif 000002
【特許請求の範囲】
【請求項１】
商品情報が表示されたコード画像を撮像する撮像部と、
前記撮像部が撮像したコード画像に含まれている前記商品情報を抽出する画像認識部と、
前記画像認識部で抽出した前記商品情報にヘッダ情報を付与するヘッダ情報生成部と、
前記ヘッダ情報を付与した前記商品情報を複数記憶する商品情報記憶部と、
前記商品情報記憶部に記憶されている前記複数の商品情報を、前記各商品情報に付されている前記ヘッダ情報ごとに読みだして比較表示する表示制御部と、
を備えることを特徴とする携帯端末。
【請求項２】
前記表示制御部は、
前記商品情報に含まれる商品の種別ごとに商品スペックに対応した少なくとも１以上のスペック項目を前記商品情報から抽出し、
前記商品情報に含まれる商品の種別ごとに前記各商品情報を前記商品情報記憶部から読み出し、前記各スペック項目に対応させて比較表示することを特徴とする請求項１に記載の携帯端末。
【請求項３】
比較表示させる商品の種別と、少なくとも１以上のスペック項目と、を指定するための入力手段を有し、
前記表示制御部は、前記入力手段により指定された種別の商品情報を前記商品情報記憶部から読み出し、前記入力手段により指定された各スペック項目に対応させて比較表示する請求項２に記載の携帯端末。
【請求項４】
コンピュータが、
撮像部に商品情報を含むコード画像を撮像させる手段と、
前記撮像部が撮像した前記コード画像に含まれている前記商品情報を画像認識部で抽出する手段と、
前記画像認識部で抽出した前記商品情報を商品情報記憶部に記憶させる手段と、
前記商品情報記憶部に記憶されている複数の前記商品情報を表示制御部がヘッダ情報ごとに読み出し表示部に比較表示する手段と、
を機能させるためのプログラム。
【発明の詳細な説明】
【技術分野】
【０００１】
本発明は、携帯端末およびそれに使用されるアプリケーションソフトウエアに関する。
【背景技術】
【０００２】
商品購入者が価格・機能等の商品情報を入手しようとする場合、商品カタログ・展示パネル・雑誌の広告等の多様な表示媒体を利用する。また、商品購入者は、複数の商品の商品情報を入手し、その中から自分の好みにあった商品を選択し、購入するのが一般的である。このために複数の商品の商品情報を記録し比較する必要があるが、多くの場合は手書きメモや記憶による比較を行う。
【０００３】
一方、商品情報を掲示するウエブサイトへのアクセス情報をＱＲコード等の２次元コードに記録し、携帯端末の画像認識機能によりその記録を表示するシステムが実用化されており、個々の商品の詳細な情報を簡単に入手することが可能となっている。
【０００４】
特許文献１には、携帯型端末装置の情報読み取り手段により商品毎に表示された商品情報を読み取り、その商品情報とホストコンピューターに格納された商品情報を比較することにより、商品毎の情報を変更するシステムが開示されている。
【０００５】
特許文献２には、２次元コードを携帯端末により商品情報を読み取り、その情報を購入管理および賞味期限管理に用いる商品管理サーバーが開示されている。
【０００６】
【特許文献１】特開平６−２２３０８５号公報
【特許文献２】特開２００６−２３５６６７号公報
【発明の開示】
【発明が解決しようとする課題】
【０００７】
しかしながら、商品情報を手書きメモや記憶で比較する場合には、記録の手間や人間の記憶力の限界によりその対象となる商品の数が限られてしまう。また、携帯端末の画像認識機能を用いて２次元コードから商品情報を容易に入手できるとしても、上記の従来技術に開示されているように、個々の情報を個別に表示し、また個別に利用するのでは、手書きメモや記憶により商品情報の比較を行う場合と同様に、対象となる商品の数が限られてしまうことに変わりはない。
【０００８】
そこで、本発明は、上記問題点を解決するために鑑みてなされたもので、多くの商品の比較を商品購入者が手軽にできる携帯端末及びプログラムを提供することを目的としたものである。
【課題を解決するための手段】
【０００９】
上記課題を解決するために、請求項１に係る本発明は、商品情報が表示されたコード画像を撮像する撮像部と、前記撮像部が撮像したコード画像に含まれている前記商品情報を抽出する画像認識部と、前記画像認識部で抽出した前記商品情報にヘッダ情報を付与するヘッダ情報生成部と、前記ヘッダ情報を付与した前記商品情報を複数記憶する商品情報記憶部と、前記商品情報記憶部に記憶されている前記複数の商品情報を、前記各商品情報に付されている前記ヘッダ情報ごとに読みだして比較表示する表示制御部と、を備えることを特徴とする携帯端末を提供する。これにより、手書きメモや人間の記憶により保持された商品情報を比較する場合に比べ、多くの商品情報の比較を手軽にすることができる。
【００１０】
請求項２に係る発明では、前記表示制御部は、前記商品情報に含まれる商品の種別ごとに、商品スペックに対応した少なくとも１以上のスペック項目を前記商品情報から抽出し、前記商品情報に含まれる商品の種別ごとに前記各商品情報を前記商品情報記憶部から読み出し、前記各スペック項目に対応させて比較表示することを特徴とする請求項１に記載の携帯端末を提供する。これにより、比較表示の視認性を向上させることができる。
【００１１】
請求項３に係る発明では、比較表示させる商品の種別と、少なくとも１以上のスペック項目と、を指定するための入力手段を有し、前記表示制御部は、前記入力手段により指定された種別の商品情報を前記商品情報記憶部から読み出し、前記入力手段により指定された各スペック項目に対応させて比較表示する請求項２に記載の携帯端末を提供する。これにより、比較表示する商品情報の指定を、購入対象の商品に合わせてすることが可能となり、利便性を向上させることができる。
【発明の効果】
【００１２】
本発明によれば、従来の技術に比べて多くの商品情報の比較を手軽に行うことができる。
【発明を実施するための最良の形態】
【００１３】
以下、本発明を実施するための最良の形態について詳細に説明する。図１は本発明の実施形態を概念的に示したものである。表示パネル２００ａ、２００ｂは、各店舗において商品の近傍に置かれたものである。ここでは、表示パネル２００ａと表示パネル２００ｂは別々の店舗に置かれたものであるとする。また、表示パネル２００ａ、２００ｂはいずれも商品としてパーソナルコンピュータに近傍に置かれている。表示パネル２００ａには、商品情報「メモリ１ＧＢ」および「ＨＤＤ１２０ＧＢ」「￥１４８，０００」が記載されるとともにコード画像２００が表示されている。表示パネル２００ｂには、商品情報「メモリ２ＧＢ」および「ＨＤＤ８０ＧＢ」「￥１５２，０００」が記載されるとともにコード画像２００が表示されている。コード画像２００は表示パネル２００ａ、２００ｂに記載された商品情報がそれぞれパネル毎にコード化されたものである。携帯端末１００は、表示パネル２００ａ、２００ｂのコード画像２００をＣＣＤカメラ１０８（後述の図２参照）で撮像することにより取り込み、その画像データをマイクロコンピュータ１２２の画像認識機能で処理して商品情報を抽出し、商品情報を携帯端末１００の液晶パネル１０６に比較表示２０２する。比較表示２０２は、表示パネル２００ａ、２００ｂに記載された商品情報から「価格」および「メモリ」の項目を選択し、それぞれの項目に該当するスペックの値を表示したものである。
【００１４】
このように、本発明においては、商品情報の比較を手軽に行うことができ、また、液晶パネルのサイズに合わせて項目を選択すれば利便性とともに視認性を確保できる。以下に実施形態の詳細を述べる。
【００１５】
次に、本発明の実施形態における携帯端末の構成について説明する。図２は、本発明の実施形態における携帯端末の構成を示すブロック図である。図２に示すように、携帯端末１００は、アンテナ１１８および無線部１１０、音声回路１１２、スピーカー１１４、マイクロフォン１１６、ＣＣＤカメラ１０８およびマイクロコンピュータ１２２、メモリ１２０、操作部１０４、液晶パネル１０６を有する。又、携帯端末１００は、電話機能とデータ処理機能を実現する。
【００１６】
操作部１０４はキーボード等からなり、外部からの入力をマイクロコンピュータ１２２に与える。また、操作部１０４は、比較表示させる商品の種別と、少なくとも１以上のスペック項目と、を指定するための入力手段として機能する。液晶パネル１０６は携帯電話のメニューや上述した商品情報を比較表示する。ＣＣＤカメラ１０８は、撮像部としてコード画像を撮像し、画像データとして取り込む機能を有する。メモリ１２０は、例えばフラッシュメモリ等の不揮発性メモリにより構成され、商品情報を記憶する商品情報記憶部として機能する。マイクロコンピュータ１２２は、ＣＣＤカメラ１０８が取り込んだ画像データを処理する画像認識部、および液晶パネル１０６の表示を制御する表示制御部、ヘッダ情報を付与するヘッダ情報生成部として機能する。
【００１７】
図３（ａ）は表示パネル２００ａを示す図、（ｂ）は表示パネル２００ａのＱＲコードを撮像して認識した後の商品情報を表示した場合の液晶パネル１０６を示す図である。図３に示すように、利用者は、携帯端末１００のＣＣＤカメラ１０８により表示パネル２００ａのコード画像２００を撮像し、取り込まれた画像データからマイクロコンピュータ１２２の画像認識機能により抽出した商品情報を、マイクロコンピュータ１２２の表示制御機能により液晶パネル１０６に表示することができる。
【００１８】
表示パネル２００ａに記載された商品情報は、「メモリ１ＧＢ」および「ＨＤＤ１２０ＧＢ」「￥１４８，０００」である。液晶パネル１０６においては、商品スペックの項目として「メモリ」および「ＨＤＤ」「価格」の３項目が抽出され、それぞれに対して該当するスペック値が表形式に表示されている。
【００１９】
さらに、表示パネル２００ａには記載されていない商品の種別情報「カテゴリ1」が付加されて、液晶パネル１０６に表示されている。これはコード画像２００の画像データから抽出された商品情報をメモリ１２０に記憶させる際に、マイクロコンピュータ１２２のヘッダ情報生成機能により付されたヘッダ情報に含まれる商品の種別を示している。
【００２０】
利用者が、操作部１０４を操作して商品の種別をヘッダ情報として入力しても良いし、コード画像の中に商品の種別情報が含まれている場合には、その種別情報をマイクロコンピュータ１２２が抽出してヘッダ情報を生成しても良い。
【００２１】
図４（ａ）は表示パネル２００ｂを示す図、（ｂ）は表示パネル２００ｂのＱＲコードを撮像して認識した後の商品情報を表示した場合の携帯端末の液晶パネル１０６を示す図である。図４に示すように、利用者は、携帯端末１００のＣＣＤカメラ１０８により表示パネル２００ｂのコード画像２００を撮像し、取り込まれた画像データからマイクロコンピュータ１２２の画像認識部が抽出した表示パネル２００ｂに記載された商品情報を、液晶パネル１０６に表示することができる。
【００２２】
表示パネル２００ｂに記載された商品情報は、「メモリ２ＧＢ」および「ＨＤＤ８０ＧＢ」「￥１５２，０００」である。商品スペックの項目として「メモリ」および「ＨＤＤ」「価格」の３項目が上記と同じように抽出され、それぞれに対して該当するスペック値が表形式に表示されている。また、商品の種別情報である「カテゴリ１」も同じように表示されている。
【００２３】
図５は、メモリ１２０に記憶された表示パネル２００ａ・２００ｂの商品情報を、マイクロコンピュータ１２２がヘッダ情報に基づいて読み出し、携帯端末１００の液晶パネル１０６に比較表示した状態を示している。
【００２４】
図５の場合には、種別情報「カテゴリ１」を含むヘッダ情報が付与された商品情報がメモリ１２０から読み出され、商品情報に含まれるスペックの項目の内、「価格」と「メモリ」が選択されて、該当するスペック値が比較表示されている。項目の選択は、操作部１０４から表示すべき項目を指定して入力することにより行う。
【００２５】
尚、操作部１０４からの入力をしないで全ての項目について比較表示しても良い。携帯端末１００の液晶パネル１０６のサイズが小さいく全ての項目を表示できない場合には、操作部１０４を操作して表示画面をスクロールすることが必要になる。このような観点からは、項目を指定できる実施態様が好ましい。
【００２６】
メモリ１２０に記憶されたヘッダ情報に商品の種別（カテゴリ）が複数ある場合は、操作部１０４から表示すべき商品のカテゴリを入力して指定し、そのカテゴリを含むヘッダ情報に従ってメモリ１２０から商品情報を読み出して比較表示しても良い。さらに、操作部１０４からカテゴリを指定する入力がない場合、または複数のカテゴリを指定する入力があった場合には、カテゴリごとに商品スペック項目を抽出し、複数の比較表示をする必要がある。
【００２７】
カテゴリの異なる複数の比較表示を液晶パネル１０６に表示する場合には、視認性を確保するための工夫が必要となる。カテゴリごとに異なる画面に表示を行い、操作部１０４からの入力により画面を切り替えて液晶パネル１０６に表示されるようにしても良い。また、操作部１０４の操作により液晶パネル１０６の画面をスクロールすることにより、複数の比較表示が連続的して視認できるようにしても良い。
【００２８】
本発明の実施フローを図６に基づいて説明する。図６は、本発明の実施形態におけるマイクロコンピュータが行う商品情報記憶処理を説明するためのフローチャートである。以下の処理は、マイクロコンピュータ１２２が、メモリ１２０に保存されたプログラムを実行することによって行われる。
【００２９】
（商品情報の記憶処理）
ステップＳ２０１において、利用者が、コード画像２００を携帯端末１００のＣＣＤカメラ１０８にて撮像する。次に、ステップＳ２０２において、マイクロコンピュータ１２２が、コード画像２００の画像データを画像認識機能にて処理し、商品情報を抽出する。ステップＳ２０３において、マイクロコンピュータ１２２が、抽出された商品情報を携帯端末１００の液晶パネル１０６に表示する。ステップＳ２０４において、利用者が、携帯端末１００の操作部１０４を操作することにより商品の種別情報を入力する。ステップＳ２０５において、マイクロコンピュータ１２２が、入力されたカテゴリを加えてヘッダ情報を生成し、抽出された商品情報に付与する。ステップＳ２０６において、マイクロコンピュータ１２２が、ヘッダ情報が付与された商品情報をメモリ１２０に記憶する。
【００３０】
比較表示の実施フローを図７に基づいて説明する。図７は、本発明の実施形態におけるマイクロコンピュータが行う比較表示処理を説明するためのフローチャートである。以下の処理は、マイクロコンピュータ１２２が、メモリ１２０に保存されたプログラムを実行することによって行われる。
【００３１】
（比較表示処理）
ステップＳ３０１において、マイクロコンピュータ１２２が、メモリ１２０内に商品情報が蓄積されているか否かを判断し、商品情報が記憶されている場合には処理を実行し、商品情報が記憶されていない場合にはサブルーチンを終了する。次に、ステップＳ３０２において、マイクロコンピュータ１２２が、ヘッダ情報から商品の種別を抽出して液晶パネル１０６に表示する。ステップＳ３０３において、利用者が、操作部１０４を操作することにより、比較表示すべきカテゴリを選択してマイクロコンピュータ１２２に入力する。ステップＳ３０４において、マイクロコンピュータ１２２が、選択されたカテゴリの商品情報からスペック項目を抽出して液晶パネル１０６に表示する。ステップＳ４０５において、利用者が、比較表示すべきスペック項目を選択し、操作部１０４を操作することによりマイクロコンピュータ１２２に入力する。ステップＳ４０６において、マイクロコンピュータ１２２が、選択されたカテゴリおよびスペック項目に基づいて、比較表を生成する。ステップＳ４０７において、マイクロコンピュータ１２２が、選択されたカテゴリを含むヘッダ情報に基づいて商品情報をメモリ１２０から読み出し、スペック項目ごとにスペック値を抽出し、液晶パネル１０６に表示された比較表にあてはめて出力する。
【００３２】
尚、メモリ１２０に格納されたプログラムは、マイクロコンピュータ１２２を、撮像部に商品情報を含むコード画像を撮像させる手段と、前記撮像部が撮像した前記コード画像に含まれている前記商品情報を画像認識部で抽出する手段と、前記画像認識部で抽出した前記商品情報を商品情報記憶部に記憶させる手段と、前記商品情報記憶部に記憶されている複数の前記商品情報を表示制御部がヘッダ情報ごとに読み出し表示部に比較表示する手段として機能される。マイクロコンピュータ１２２がメモリ１２０内のプログラムを実行することにより、上記各機能が実現される。
【００３３】
以上、本発明の好ましい実施例について詳述したが、本発明は上述した実施例に限定されるものではなく、特許請求の範囲に記載された本発明の要旨の範囲内において、種々の変形、変更が可能である。
【図面の簡単な説明】
【００３４】
【図１】本発明の実施形態を説明するための概略図である。
【図２】本発明の実施形態における携帯端末の構成を示すブロック図である。
【図３】（ａ）は表示パネル２００ａを示す図、（ｂ）は表示パネルのＱＲコードを撮像して認識した後の商品情報を表示した場合の携帯端末の液晶パネルを示す図である。
【図４】（ａ）は表示パネル２００ｂを示す図、（ｂ）は表示パネル２００ｂのＱＲコードを撮像して認識した後の商品情報を表示した場合の携帯端末の液晶パネル１０６を示す図である。
【図５】メモリに記憶された表示パネルの商品情報をマイクロコンピュータがヘッダ情報に基づいて読み出し、携帯端末の液晶パネルに比較表示した状態を示す図である。
【図６】本発明の実施形態におけるマイクロコンピュータが行う商品情報記憶処理を説明するためのフローチャートである。
【図７】本発明の実施形態におけるマイクロコンピュータが行う比較表示処理を説明するためのフローチャートである。
【符号の説明】
【００３５】
１００・・・携帯端末
１０４・・・操作部
１０６・・・液晶パネル
１０８・・・ＣＣＤカメラ
１１０・・・無線部
１１２・・・音声回路
１１４・・・スピーカー
１１６・・・マイクロフォン
１１８・・・アンテナ
１２０・・・メモリ
２００・・・コード画像
２００ａ・・・表示パネル
２００ｂ・・・表示パネル
２０２・・・比較表示例
【図１】
2009194574.tif 000003
【図２】
2009194574.tif 000004
【図３】
2009194574.tif 000005
【図４】
2009194574.tif 000006
【図５】
2009194574.tif 000007
【図６】
2009194574.tif 000008
【図７】
2009194574.tif 000009